(57)【要約】【課題】ユーザが自分の端末装置から離れた場所にいても当該端末装置の認証を可能とし、また、認証機能を簡単化する。【解決手段】電話網は、ユーザ端末の識別番号である電話番号のデータベースを備えており、ユーザ端末からの発信者電話番号に基づいて認証を行う。この電話網の電話番号に基づく認証データベース技術を利用し、電話端末からの電話番号に基づいて発信者を認証すると共に、電話端末から、ＩＰ網などの他のネットワークに接続されるユーザ機器に対して接続要求を行い、電話網の認証を条件にＩＰ網でのユーザ機器の相互接続を行って通信を確立する。【選択図】  図１
2008028709.tif 000002
【特許請求の範囲】
【請求項１】
ユーザ端末の認証手段を備えた第一の通信システムと、
ユーザ機器が接続される第二の通信システムと
を備え、
前記ユーザ機器の識別を行う識別情報が予め与えられ、
前記認証手段は、ユーザ端末の認証を行うユーザ管理データベースを備え、
このユーザ管理データベースは、ユーザ端末の識別番号毎に、前記第二の通信システムに接続されるユーザ機器を識別する識別情報が付加されたテーブルを備え、
前記ユーザ機器を前記第二の通信システムにより相互に接続するときは、
前記第一の通信システムのユーザ端末から前記第二の通信システムに接続される送信先ユーザ機器を指定する識別情報を含む接続要求を送信し、
前記認証手段は、当該接続要求を送信したユーザ端末の識別番号に基づいて当該ユーザ端末の認証を行って前記送信先ユーザ機器の識別情報に基づいて前記接続要求のあった前記第二の通信システムに接続される前記送信先ユーザ機器に、前記接続要求を行ったユーザの送信元ユーザ機器との接続に用いる接続情報を送信し、
前記送信先ユーザ機器から当該接続情報に対する応答があった場合には前記送信元ユーザ機器に、前記送信先ユーザ機器との接続に用いる接続情報を送信し、
前記送信元ユーザ機器および前記送信先ユーザ機器は、受信した前記接続情報を用いて前記第二の通信システムを介してユーザ機器同士の通信を確立する
認証方法。
【請求項２】
前記第一の通信システムは、電話網であり、
前記第二の通信システムは、インターネット網であり、
前記ユーザ端末は、電話機であり、
前記ユーザ機器は、電話番号が付与された端末装置であり、
前記ユーザ管理データベースは、前記ユーザ端末の電話番号に基づいて、前記ユーザ機器の電話番号および接続に必要な前記ユーザ機器の付加情報が格納された電話端末管理データベースであり、
前記接続要求は、前記ユーザ端末から接続したい前記相手先ユーザ機器の電話番号を入力する
請求項１記載の認証方法。
【請求項３】
ユーザ端末の認証手段を備えた第一の通信システムと、
ユーザ機器が接続される第二の通信システムと
を備え、
前記ユーザ機器の識別を行う識別情報が予め与えられ、
前記認証手段は、ユーザ端末の認証を行うユーザ管理データベースを備え、
このユーザ管理データベースは、ユーザ端末の識別番号毎に、前記第二の通信システムに接続されるユーザ機器を識別する識別情報が付加されたテーブルを備え、
前記ユーザ機器を前記第二の通信システムにより相互に接続するときは、
前記第一の通信システムのユーザ端末から前記第二の通信システムに接続される送信先ユーザ機器を指定する識別情報を含む第一の接続要求を送信し、
前記認証手段は、当該第一の接続要求を送信したユーザ端末の識別番号に基づいて当該ユーザ端末の認証を行い、前記送信先ユーザ機器に、当該第一の接続要求を行ったユーザの送信元ユーザ機器との接続に用いる接続情報を送信し、
前記送信先ユーザ機器は、前記送信元ユーザ機器に対し、受信した前記接続情報を用いて前記第二の通信システムを介して第二の接続要求を送信し、この第二の接続要求を受け取った前記送信元ユーザ機器は、この第二の接続要求に対する応答を行うことによりユーザ機器同士の通信を確立する
認証方法。
【請求項４】
ユーザ端末の認証手段を備えた第一の通信システムと、
ユーザ機器が接続される第二の通信システムと
を備え、
前記ユーザ機器の識別を行う識別情報が予め与えられ、
前記認証手段は、ユーザ端末の認証を行うユーザ管理データベースを備え、
このユーザ管理データベースは、ユーザ端末の識別番号毎に、前記第二の通信システムに接続されるユーザ機器を識別する識別情報が付加されたテーブルを備え、
前記ユーザ機器を前記第二の通信システムにより相互に接続するのに際し、
前記ユーザ端末は、前記第一の通信システムを介して前記認証手段に対して前記第二の通信システムに接続される送信先ユーザ機器を指定する識別情報を含む接続要求を送信する手段を備え、
前記認証手段は、
当該接続要求を送信したユーザ端末の識別番号に基づいて当該ユーザ端末の認証を行って前記送信先ユーザ機器の識別情報に基づいて前記接続要求のあった前記第二の通信システムに接続される前記相手先ユーザ機器に、前記接続要求を行ったユーザの送信元ユーザ機器との接続に用いる接続情報を送信する手段と、
前記送信先ユーザ機器から当該接続情報に対する応答があった場合には前記送信元ユーザ機器に、前記送信先ユーザ機器との接続に用いる接続情報を送信する手段と
を備え、
前記送信元ユーザ機器および前記送信先ユーザ機器は、受信した前記接続情報を用いて前記第二の通信システムを介してユーザ機器同士の通信を確立する手段を備えた
ネットワークシステム。
【請求項５】
前記第一の通信システムは、電話網であり、
前記第二の通信システムは、インターネット網であり、
前記ユーザ端末は、電話機であり、
前記ユーザ機器は、電話番号が付与された端末装置であり、
前記ユーザ管理データベースは、前記ユーザ端末の電話番号に基づいて、前記ユーザ機器の電話番号および接続に必要な前記ユーザ機器の付加情報が格納された電話端末管理データベースである
請求項４記載のネットワークシステム。
【請求項６】
ユーザ端末の認証手段を備えた第一の通信システムと、
ユーザ機器が接続される第二の通信システムと
を備え、
前記ユーザ機器の識別を行う識別情報が予め与えられ、
前記認証手段は、ユーザ端末の認証を行うユーザ管理データベースを備え、
このユーザ管理データベースは、ユーザ端末の識別番号毎に、前記第二の通信システムに接続されるユーザ機器を識別する識別情報が付加されたテーブルを備え、
前記ユーザ機器を前記第二の通信システムにより相互に接続するのに際し、
前記ユーザ端末は、前記第一の通信システムを介して前記認証手段に対して前記第二の通信システムに接続される送信先ユーザ機器を指定する識別情報を含む第一の接続要求を送信する手段を備え、
前記認証手段は、当該第一の接続要求を送信したユーザ端末の識別番号に基づいて当該ユーザ端末の認証を行い、前記送信先ユーザ機器に、当該第一の接続要求を行ったユーザの送信元ユーザ機器との接続に用いる接続情報を送信する手段を備え、
前記送信先ユーザ機器は、前記送信元ユーザ機器に対し、受信した前記接続情報を用いて前記第二の通信システムを介して第二の接続要求を送信する手段を備え、
この第二の接続要求を受け取った前記送信元ユーザ機器は、この第二の接続要求に対する応答を行うことによりユーザ機器同士の通信を確立する手段を備えた
ネットワークシステム。
【発明の詳細な説明】
【技術分野】
【０００１】
本発明は、ネットワークシステムでのユーザの認証技術に関する。本発明はＩＰ（インターネット）網などを利用してデータを転送する場合の認証方法またはネットワークシステムに関する。
【背景技術】
【０００２】
近年、ネットワーク技術の発展に伴い、ＩＰ網を利用して、画像、動画、音声、楽曲等のディジタル化されたデータを伝送することが可能となった。これに伴い、ネットワークを利用するための認証方法やセキュリティ等が問題となっている。
【０００３】
従来、一般的に行われた方法は、ネットワークにユーザを識別するためのデータベースを持つ認証用サーバを設け、このサーバに接続を要求するユーザがアクセスし、ユーザＩＤ、パスワードなどを入力し、認証サーバが認証を行うことにより、相手先ユーザ機器との接続を許可するものである。
【０００４】
また、他のネットワーク（例えば移動通信電話網）の認証データを用いてユーザの認証を行い、暗号化通信を行う方式についても特許文献１で提案されている。
【０００５】
【特許文献１】特開２００４−３６４１６６号公報
【発明の開示】
【発明が解決しようとする課題】
【０００６】
このような従来のネットワークでの認証方式では、ユーザがネットワークに接続しようとする機器から、認証に必要なデータの入力作業あるいは認証データの送信を必要とする。例えば、特許文献１でも、ユーザは端末装置から認証情報などを網の認証サーバに送信する必要がある。
【０００７】
これによれば、ユーザがユーザの端末装置から離れた場所にいるときには、当該端末装置の認証は不可能である。例えば、ユーザが友人宅にいるときに、自分の端末装置と友人の端末装置とをネットワークを介して接続し、自分の端末装置から友人の端末装置にデータ伝送を行いたいと思ってもそれは不可能である。
【０００８】
また、端末やサーバ側に認証情報または暗号化情報を搭載し、認証または暗号化を行うようにしているが、新しい認証機能を追加する場合には、端末やサーバ側に新しい認証用のデータを追加あるいは変更等の煩雑な作業を行う必要がある。
【０００９】
本発明は、このような背景の下に行われたものであって、ユーザが自分の端末装置から離れた場所にいても当該端末装置の認証を可能とし、また、認証機能を簡単化することができる認証方法およびネットワークシステムを提供することを目的とする。
【課題を解決するための手段】
【００１０】
電話網は、ユーザ端末の識別番号である電話番号のデータベースを備えており、ユーザ端末からの発信者電話番号に基づいて認証を行うことができる。本発明は、この電話網の電話番号に基づく認証データベース技術を利用し、電話端末からの電話番号に基づいて発信者を認証すると共に、電話端末から、ＩＰ網などの他のネットワークに接続されるユーザ機器（例えば、電話機能のあるパーソナルコンピュータ）に対して接続要求を行い、電話網の認証を条件にＩＰ網でのユーザ機器の相互接続を行って通信を確立する。
【００１１】
ユーザは、いつも使用している電話端末から電話番号を用いてＩＰ網に対する接続要求を行うことで、ユーザの認証が行われるので、ＩＰ網などでユーザ機器の接続のために面倒な認証作業を行う必要がなくなる。
【００１２】
すなわち、本発明は、ユーザ端末の認証手段を備えた第一の通信システムと、ユーザ機器が接続される第二の通信システムとを備え、前記ユーザ機器の識別を行う識別情報が予め与えられ、前記認証手段は、ユーザ端末の認証を行うユーザ管理データベースを備え、このユーザ管理データベースは、ユーザ端末の識別番号毎に、前記第二の通信システムに接続されるユーザ機器を識別する識別情報が付加されたテーブルを備え、前記ユーザ機器を前記第二の通信システムにより相互に接続するときは、前記第一の通信システムのユーザ端末から前記第二の通信システムに接続される送信先ユーザ機器を指定する識別情報を含む接続要求を送信し、前記認証手段は、当該接続要求を送信したユーザ端末の識別番号に基づいて当該ユーザ端末の認証を行って前記送信先ユーザ機器の識別情報に基づいて前記接続要求のあった前記第二の通信システムに接続される前記送信先ユーザ機器に、前記接続要求を行ったユーザの送信元ユーザ機器との接続に用いる接続情報を送信し、前記送信先ユーザ機器から当該接続情報に対する応答があった場合には前記送信元ユーザ機器に、前記送信先ユーザ機器との接続に用いる接続情報を送信し、前記送信元ユーザ機器および前記送信先ユーザ機器は、受信した前記接続情報を用いて前記第二の通信システムを介してユーザ機器同士の通信を確立する認証方法である。
【００１３】
このように、認証を行う通信システムと、データ伝送を行う通信システムとを別個に用いることにより、ユーザは、データ伝送を行う端末装置を用いなくとも当該端末装置の認証が可能となり、前述した例のように、ユーザが友人宅にいる場合でもユーザの自宅にある端末装置の認証が可能となり、ユーザは、友人宅にいながらにしてユーザの端末装置と友人の端末装置との間でネットワークを介したデータ伝送が可能となる。
【００１４】
例えば、前記第一の通信システムは、電話網であり、前記第二の通信システムは、インターネット網であり、前記ユーザ端末は、電話機であり、前記ユーザ機器は、電話番号が付与された端末装置であり、前記ユーザ管理データベースは、前記ユーザ端末の電話番号に基づいて、前記ユーザ機器の電話番号および接続に必要な前記ユーザ機器の付加情報が格納された電話端末管理データベースであり、前記接続要求は、前記ユーザ端末から接続したい前記相手先ユーザ機器の電話番号を入力する。
【００１５】
これによれば、電話網が有する既存の機能を利用して本発明の認証方法を実現することができるため、本発明を実現するための認証機能を簡単化することができる。前記既存の機能としては、例えば、発信者の発番（電話番号）を取得することにより発信者を特定できる、電話番号により身元を特定できる、認証には、電話網等の独立した網を利用することにより、ＩＰ網等に比べてよりセキュリティ等の信頼性を高めることができる、などの機能があり、この機能を利用できる。
【００１６】
なお、前記ユーザ機器を前記第二の通信システムにより相互に接続するときは、前記第一の通信システムのユーザ端末から前記第二の通信システムに接続される送信先ユーザ機器を指定する識別情報を含む第一の接続要求を送信し、前記認証手段は、当該第一の接続要求を送信したユーザ端末の識別番号に基づいて当該ユーザ端末の認証を行い、前記送信先ユーザ機器に、当該第一の接続要求を行ったユーザの送信元ユーザ機器との接続に用いる接続情報を送信し、前記送信先ユーザ機器は、前記送信元ユーザ機器に対し、受信した前記接続情報を用いて前記第二の通信システムを介して第二の接続要求を送信し、この第二の接続要求を受け取った前記送信元ユーザ機器は、この第二の接続要求に対する応答を行うことによりユーザ機器同士の通信を確立するようにしてもよい。
【００１７】
これによれば、片方のユーザ機器のみに接続情報を送信すればよいため、通信確立手順を簡単化することができる。
【００１８】
また、本発明をネットワークシステムの観点からみることができる。すなわち、本発明は、ユーザ端末の認証手段を備えた第一の通信システムと、ユーザ機器が接続される第二の通信システムとを備え、前記ユーザ機器の識別を行う識別情報が予め与えられ、前記認証手段は、ユーザ端末の認証を行うユーザ管理データベースを備え、このユーザ管理データベースは、ユーザ端末の識別番号毎に、前記第二の通信システムに接続されるユーザ機器を識別する識別情報が付加されたテーブルを備え、前記ユーザ機器を前記第二の通信システムにより相互に接続するのに際し、前記ユーザ端末は、前記第一の通信システムを介して前記認証手段に対して前記第二の通信システムに接続される送信先ユーザ機器を指定する識別情報を含む接続要求を送信する手段を備え、前記認証手段は、当該接続要求を送信したユーザ端末の識別番号に基づいて当該ユーザ端末の認証を行って前記送信先ユーザ機器の識別情報に基づいて前記接続要求のあった前記第二の通信システムに接続される前記送信先ユーザ機器に、前記接続要求を行ったユーザの送信元ユーザ機器との接続に用いる接続情報を送信する手段と、前記送信先ユーザ機器から当該接続情報に対する応答があった場合には前記送信元ユーザ機器に、前記送信先ユーザ機器との接続に用いる接続情報を送信する手段とを備え、前記送信元ユーザ機器および前記送信先ユーザ機器は、受信した前記接続情報を用いて前記第二の通信システムを介してユーザ機器同士の通信を確立する手段を備えたネットワークシステムである。
【００１９】
例えば、前記第一の通信システムは、電話網であり、前記第二の通信システムは、インターネット網であり、前記ユーザ端末は、電話機であり、前記ユーザ機器は、電話番号が付与された端末装置であり、前記ユーザ管理データベースは、前記ユーザ端末の電話番号に基づいて、前記ユーザ機器の電話番号および接続に必要な前記ユーザ機器の付加情報が格納された電話端末管理データベースである。
【００２０】
なお、前記ユーザ機器を前記第二の通信システムにより相互に接続するのに際し、前記ユーザ端末は、前記第一の通信システムを介して前記認証手段に対して前記第二の通信システムに接続される送信先ユーザ機器を指定する識別情報を含む第一の接続要求を送信する手段を備え、前記認証手段は、当該第一の接続要求を送信したユーザ端末の識別番号に基づいて当該ユーザ端末の認証を行い、前記送信先ユーザ機器に、当該第一の接続要求を行ったユーザの送信元ユーザ機器との接続に用いる接続情報を送信する手段を備え、前記送信先ユーザ機器は、前記送信元ユーザ機器に対し、受信した前記接続情報を用いて前記第二の通信システムを介して第二の接続要求を送信する手段を備え、この第二の接続要求を受け取った前記送信元ユーザ機器は、この第二の接続要求に対する応答を行うことによりユーザ機器同士の通信を確立する手段を備えることもできる。
【発明の効果】
【００２１】
本発明によれば、ユーザが自分の端末装置から離れた場所にいても当該端末装置の認証を可能とし、また、認証機能を簡単化することができる。
【発明を実施するための最良の形態】
【００２２】
本発明実施例の認証方法およびネットワークシステムを図１ないし図６を参照して説明する。図１は本実施例のネットワークシステムの全体構成図である。図２は電話端末管理データベースが有するテーブルを示す図である。
【００２３】
本実施例のネットワークシステムは、図１に示すように、ユーザ端末としての電話端末１の認証手段を含む中継・変換装置３を備えた電話網２と、ユーザ機器としての機器ＡおよびＢが接続されるＩＰ網４とを備え、機器ＡおよびＢの識別を行う識別情報が予め与えられ、中継・変換装置３は、電話端末１の認証を行う電話端末管理データベース５を備え、この電話端末管理データベース５は、電話端末１の識別番号毎に、ＩＰ網４に接続される機器ＡおよびＢを識別する識別情報が付加されたテーブル（図２）を備え、機器ＡおよびＢをＩＰ網４により相互に接続するのに際し、電話端末１は、電話網２を介して中継・変換装置３に対してＩＰ網４に接続される送信先ユーザ機器（ここでは機器Ｂ（♯０００２））を指定する識別情報を含む接続要求を送信する手段を備え、中継・変換装置３は、当該接続要求を送信した電話端末１の識別番号に基づいて当該電話端末１の認証を行って機器Ｂの識別情報に基づいて前記接続要求のあったＩＰ網４に接続される機器Ｂに、前記接続要求を行ったユーザＡの送信元ユーザ機器（ここでは機器Ａ（♯０００１））との接続に用いる接続情報を送信する手段と、機器Ｂから当該接続情報に対する応答があった場合には機器Ａとの接続に用いる接続情報を送信する手段とを備え、機器ＡおよびＢは、受信した前記接続情報を用いてＩＰ網４を介して機器ＡおよびＢの通信を確立する手段を備えたネットワークシステムである。
【００２４】
本実施例では、機器ＡおよびＢは、例えば、ＩＰ電話機能を有するパーソナルコンピュータである。ユーザは、自分が所有する電話端末の電話番号に対応付けて機器の識別情報を中継・変換装置３に登録することができる。このときに、一人のユーザが複数の機器を有する場合には、１つの電話番号に対応付けて複数の機器の識別情報を登録することができる。
【００２５】
登録方法としては、ユーザからの申請に基づいて電話網２のキャリアが登録する、あるいは、電話端末が携帯電話端末である場合には、携帯電話用Ｗｅｂサイトから登録する、あるいは、インターネットのＷｅｂサイトから登録するなどの方法を採り得る。
【００２６】
図１では、中継・変換装置３を、電話網２にもＩＰ網４にも含まれない位置に図示したが、中継・変換装置３の設置位置は、電話網２内でもよいしＩＰ網４内でもよい。いずれの位置に設置された場合でも電話網２の付加機能としての役割を持つ。
【００２７】
また、図１に示す電話網／中継・変換装置ＧＷ(Gate Way)サーバ９は、電話網２と中継・変換装置３とを接続するためのサーバである。仮に、中継・変換装置３の設置位置をＩＰ網４内とした場合には、電話網／中継・変換装置ＧＷサーバ９は、電話網２とＩＰ網４との相互乗り入れの機能を有することになる。
【００２８】
また、中継・変換装置３の登録サーバ８は、ＩＰ機器である機器ＡまたはＢからの登録を受け付けて、電話端末管理装置６に識別情報（ＩＰアドレスなど）をエントリする。なお、電話端末１からは電話網２の電話網／中継・変換装置ＧＷサーバ９を介して直接、電話端末管理装置５に識別情報の登録を行うことができる。電話端末管理装置６は、電話端末１の電話番号、機器ＡまたはＢの識別情報（ＩＰアドレスなど）を管理して認証を行う。プロキシサーバ７は、電話端末１、機器Ａ、機器Ｂの接続を管理して中継する。
【００２９】
次に、本実施例のネットワークシステムの動作を図３および図４を参照して説明する。図３および図４は本実施例のネットワークシステムの動作を示すシーケンス図であり、ユーザＡが機器Ａと機器Ｂとの相互接続を要求して通信を確立する例である。図３に示すように、ユーザＡは、電話端末１に相手先ユーザ機器である機器Ｂの電話番号（♯０００２）を入力する（Ｓ１）。電話端末１は、自己の電話番号（♯９９９９）を付加し、相手先電話番号（♯０００２）により中継・変換装置３に接続要求（発呼）する（Ｓ２）。この接続要求は、中継・変換装置３のプロキシサーバ７が受け付ける。プロキシサーバ７は、電話端末管理装置６に対して電話端末１の電話番号（♯９９９９）で認証要求する（Ｓ３）。なお、認証要求には電話番号（♯９９９９）ではなく、暗証番号等を利用してもよい。
【００３０】
電話端末管理装置６は、電話端末データベース５を電話番号（♯９９９９）あるいは暗証番号等で検索して認証確認をする（Ｓ４）。認証確認が終了すると、電話端末管理装置６は、プロキシサーバ７に対して認証確認が無事に終了したことを認証確認応答として通知する（Ｓ５）。
【００３１】
認証確認応答を受け取ったプロキシサーバ７は、電話端末管理装置６に対して電話端末１の電話番号（♯９９９９）および機器Ｂの電話番号（♯０００２）により機器情報を要求する（Ｓ６）。電話端末管理装置６は電話端末管理データベース５を電話番号（♯９９９９）および（♯０００２）により検索し、機器Ａの情報（電話番号（♯０００１）、付加・認証・識別情報）および機器Ｂの情報（電話番号（♯０００２）、付加・認証・識別情報）を得る。
【００３２】
なお、付加・認証・識別情報とは、例えば、１接続に対するグローバル・ユニークＩＤ、コネクション情報（接続先のＩＰ機器のＩＰアドレス、ポート番号、電話番号等）、再送情報、Ｃａｐａｂｉｌｉｔｙ情報、認証用の暗号キー、有効期限、セッション開始時刻である。
【００３３】
電話端末管理装置６は、プロキシサーバ７に対し、これらの機器情報を応答する（Ｓ８）。プロキシサーバ７は、機器Ｂに対し、機器Ａおよび機器Ｂの付加・認証・識別情報を含む接続情報を送信する（Ｓ９）。機器Ｂは、この接続情報を用いて機器Ａとの接続を行うことができる。機器Ｂは、機器Ａと接続可能であればプロキシサーバ７に接続情報応答を送信する（Ｓ１０）。プロキシサーバ７は、機器Ｂからの接続情報応答を受け取ると、機器Ａに対して機器Ａおよび機器Ｂの付加・認証・識別情報を含む接続情報を送信する（Ｓ１１）。機器Ａは、この接続情報を用いて機器Ｂとの接続を行うことができる。
【００３４】
機器Ａは接続情報を受け取ると、直接機器Ｂに対して電話番号（♯０００２）で接続要求を送信（発呼）する（Ｓ１２）。機器Ｂはこの接続要求を受け取ると、機器Ａに対して接続要求応答を送信（着呼）する（Ｓ１３）。
【００３５】
これにより、機器Ａおよび機器Ｂは、相互に接続を行い、付加・認証・識別情報等の確認処理を行った後、通信を確立して通信を開始する（Ｓ１４）。このとき、機器Ａと機器Ｂとの間には、中継装置等が介在してもよい。
【００３６】
機器Ａと機器Ｂとの間で通信が確立されると機器Ａはその旨をプロキシサーバ７に通信確立完了通知として通知する（Ｓ１５）。プロキシサーバ７は、通信確立完了通知を受け取ると、電話端末１に対して通信確立が完了した旨を通信確立完了通知として送信する（Ｓ１６）。この通知により電話端末１のユーザは、機器Ａと機器Ｂとの間で通信が確立したことを認識し、データ伝送を開始することができる。
【００３７】
もちろん、電話端末１が通信確立完了通知を受け取るまでもなく、ユーザＡ宅にある機器Ａの接続状態を確認すれば機器Ａと機器Ｂとの間で通信が確立したことは認識できるが、前述したように、ユーザＡがユーザＢ宅にいるような場合には、機器Ａの状態を直接確認することができないため、電話端末１による通信確立完了通知は有用である。
【００３８】
図３の例では、電話端末１は電話網２の電話網／中継・変換装置ＧＷサーバ９を介してプロキシサーバ７に接続要求を行う際に、電話機能を用いて発呼によって行ったが、図４の例では、電話端末１が有するネットワーク接続機能を用い、まず、電話端末１からプロキシサーバ７に対してデータ通信接続要求を行い（Ｓ２１）、プロキシサーバ７からのデータ通信接続要求応答（Ｓ２２）を受け取ることにより、電話端末１とプロキシサーバ７との間でネットワークを介した通信を確立し（Ｓ２３）、その上で、Ｗｅｂブラウザ等を使用したデータ通信により、接続要求（Ｓ２４）を行う。この場合のシステム構成は、図１と同じであるが、中継・変換装置３は、電話網２あるいはＩＰ網４に含まれる。
【００３９】
なお、図３および図４の例では、ステップＳ１２およびＳ１３において、機器Ａから機器Ｂに対して接続要求を行い、その後、機器Ｂから機器Ａに対して接続要求応答を行ったが、先に、機器Ｂから機器Ａに対して接続要求を行い、機器Ａから機器Ｂに対して接続要求応答を行ってもよい。
【００４０】
あるいは、ステップＳ９およびＳ１１において、プロキシサーバ７は、機器Ａおよび機器Ｂの双方に対して接続情報を送信したが、機器Ｂのみに接続情報を送信し、機器Ａには、接続情報を送信せず、機器Ｂからの接続要求に機器Ａが応答することにより、機器Ａと機器Ｂとの間の通信を確立してもよい。この場合の手順を図５および図６に示す。図５および図６では、図３および図４におけるステップＳ１１を省略することができる。
【産業上の利用可能性】
【００４１】
本発明によれば、ユーザが自分の端末装置から離れた場所にいても当該端末装置の認証を可能とし、また、認証機能を簡単化することができるので、ユーザの利便性を向上させることができる。また、ネットワークのキャリアにおいても認証機能を簡単化できることにより、効率の良いネットワーク運営を行うことができる。
【図面の簡単な説明】
【００４２】
【図１】本実施例のネットワークシステムの全体構成図。
【図２】本実施例の電話端末管理データベースが有するテーブルを示す図。
【図３】本実施例のネットワークシステムの動作を示すシーケンス図（電話番号入力）。
【図４】本実施例のネットワークシステムの動作を示すシーケンス図（データ通信接続要求）。
【図５】本実施例のネットワークシステムの動作を示すシーケンス図（電話番号入力）。
【図６】本実施例のネットワークシステムの他の動作を示すシーケンス図（データ通信接続要求）。
【符号の説明】
【００４３】
１  電話端末
２  電話網
３  中継・変換装置
４  ＩＰ網
５  電話端末管理データベース
６  電話端末管理装置
７  プロキシサーバ
８  登録サーバ
９  電話網／中継・変換装置ＧＷサーバ
Ａ、Ｂ  機器
【図１】
2008028709.tif 000003
【図２】
2008028709.tif 000004
【図３】
2008028709.tif 000005
【図４】
2008028709.tif 000006
【図５】
2008028709.tif 000007
【図６】
2008028709.tif 000008